(57)【特許請求の範囲】
【請求項１】
それぞれに予め定められた処理が対応付けられた複数のオブジェクトを含むコンテンツのうちの一部である表示対象領域を、表示画面に表示させる表示制御装置であって、
前記コンテンツ上で前記表示対象領域をスライドさせる処理であるスクロールを開始させるスクロール開始指示と、前記スクロールを停止させるスクロール停止指示とを、ユーザから受け付ける指示受付部と、
スクロール中に前記指示受付部で前記スクロール停止指示が受け付けられた場合に、所定の関数によりスクロール速度を減速し、スクロールを停止した時の前記表示対象領域の位置を予め算出するスクロール制御部と、
前記スクロール制御部でスクロールを停止した時の前記表示対象領域の位置を決定した時点からスクロールを停止する時点より前のいずれかのタイミングで、前記スクロールが停止する時に前記表示対象領域内の予め定められた位置に最も近くなる予定の前記オブジェクトに、当該オブジェクトが選択されていることを表すフォーカスを重畳させ、前記オブジェクトとともに前記フォーカスをスクロールさせるフォーカス制御部とを備える
表示制御装置。
【請求項２】
フォーカス制御部は、前記スクロール制御部でスクロールを停止した時の前記表示対象領域の位置を決定した時点からスクロールを停止する時点より前のいずれかのタイミングで前記表示画面の端部に前記フォーカスを表示し、スクロールが停止されたタイミングで前記オブジェクトに重畳するように、前記フォーカスを徐々に前記オブジェクトに近づける
請求項１に記載の表示制御装置。
【請求項３】
前記スクロール制御部は、前記指示受付部で前記スクロール開始指示が受け付けられた場合に、スクロールを開始し、且つ所定の速度に達するまでスクロール速度を徐々に加速させる
請求項１又は２に記載の表示制御装置。
【請求項４】
前記指示受付部は、ユーザが操作装置の方向キーを所定の時間押下し続けたことによって前記スクロール開始指示を受け付け、ユーザが前記方向キーの押下を解除したことによって前記スクロール停止指示を受け付け、
前記スクロール制御部は、前記方向キーが示す方向にスクロールさせる
請求項３に記載の表示制御装置。
【請求項５】
前記指示受付部は、さらに、ユーザが前記方向キーを前記所定の時間未満だけ押下したことによって、前記フォーカスを移動させるフォーカス移動指示を受け付け、
前記フォーカス制御部は、前記指示受付部で前記フォーカス移動指示が受け付けられた場合に、前記フォーカスを、前記表示対象領域に含まれる複数のオブジェクトのうち、現在フォーカスが重畳されている第１のオブジェクトから、前記第１のオブジェクトと前記方向キーが示す方向に隣接する第２のオブジェクトに移動させる
請求項４に記載の表示制御装置。
【請求項６】
前記予め定められた位置とは、前記表示対象領域の中央である
請求項１〜５のいずれか１項に記載の表示制御装置。
【請求項７】
それぞれに予め定められた処理が対応付けられた複数のオブジェクトを含むコンテンツのうちの一部である表示対象領域を、表示画面に表示させる表示制御方法であって、
前記コンテンツ上で前記表示対象領域をスライドさせる処理であるスクロールを開始させるスクロール開始指示と、前記スクロールを停止させるスクロール停止指示とを、ユーザから受け付ける指示受付ステップと、
スクロール中に前記指示受付ステップで前記スクロール停止指示が受け付けられた場合に、所定の関数によりスクロール速度を減速し、スクロールを停止した時の前記表示対象領域の位置を予め算出するスクロール制御ステップと、
前記スクロール制御ステップでスクロールを停止した時の前記表示対象領域の位置を決定した時点からスクロールを停止する時点より前のいずれかのタイミングで、前記スクロールが停止する時に前記表示対象領域内の予め定められた位置に最も近くなる予定の前記オブジェクトに、当該オブジェクトが選択されていることを表すフォーカスを重畳させ、前記オブジェクトとともに前記フォーカスをスクロールさせるフォーカス制御ステップとを含む
表示制御方法。
【発明の詳細な説明】
【技術分野】
【０００１】
本発明は、コンテンツを表示装置に表示させる表示制御装置及び表示制御方法に関するものである。
【背景技術】
【０００２】
例えば、従来のスクロール制御の方法として、特許文献１には、ハイパーリンク等のオブジェクトを含む画像情報を表示画面にスクロール可能に表示する画像処理装置が開示されている。
【０００３】
特許文献１に開示されている画像処理装置は、画像情報をスクロール後の表示画面にフォーカスされたオブジェクトが表示されなくなった場合に、下方へフォーカスを移動するための方向キー信号をダミーで発生させ、画面中のオブジェクトにフォーカスを移動させる。
【先行技術文献】
【特許文献】
【０００４】
【特許文献１】特開平１０−０２１０３６号公報
【発明の概要】
【発明が解決しようとする課題】
【０００５】
しかしながら、従来の特許文献１に記載の画像処理装置では、スクロールを高速に行なった場合にフォーカスを表すマークが画面上を頻繁に移動してしまい、画面上の情報を読み取りにくいという課題がある。また、スクロール後の表示画面においてフォーカス位置が認識しにくいという課題がある。
【０００６】
本発明は、上記の課題に鑑みてなされたものであり、スクロールを高速に行った場合においても画面上の情報が読み取りやすく、かつ、フォーカス位置を認識しやすいようにした表示制御装置及び表示制御方法を提供することを目的とする。
【課題を解決するための手段】
【０００７】
上記目的を達成するために、本発明の一態様に係る表示制御装置は、それぞれに予め定められた処理が対応付けられた複数のオブジェクトを含むコンテンツのうちの一部である表示対象領域を、表示画面に表示させる表示制御装置であって、前記コンテンツ上で前記表示対象領域をスライドさせる処理であるスクロールを開始させるスクロール開始指示と、前記スクロールを停止させるスクロール停止指示とを、ユーザから受け付ける指示受付部と、スクロール中に前記指示受付部で前記スクロール停止指示が受け付けられた場合に、所定の関数によりスクロール速度を減速し、スクロールを停止した時の前記表示対象領域の位置を予め算出するスクロール制御部と、前記スクロール制御部でスクロールを停止した時の前記表示領域の位置を決定した時点からスクロールを停止する時点までのいずれかのタイミングで、前記表示対象領域内の予め定められた位置に最も近い前記オブジェクトに、当該オブジェクトが選択されていることを表すフォーカスを重畳させるフォーカス制御部とを備える。
【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明によれば、スクロール停止時のフォーカス位置をユーザに認識しやすくした表示制御装置及び表示制御方法を得ることができる。
【図面の簡単な説明】
【００１０】
【図１】図１は、本発明の一形態に係る表示制御装置の機能ブロック図である。
【図２】図２は、本発明の一形態に係る表示制御部の機能ブロック図である。
【図３】図３は、表示制御装置の動作を示すフローチャートである。
【図４】図４は、フォーカス移動処理のフローチャートである。
【図５】図５は、フォーカス移動処理を実行した際の表示例を示す図である。
【図６】図６は、スクロール処理のフローチャートである。
【図７】図７は、スクロール処理を実行した際の表示例を示す図である。
【図８】図８は、スクロール速度の速度関数ｆ（ｔ）の一例を示す図である。
【図９】図９は、スクロール停止処理のフローチャートである。
【図１０】図１０は、スクロール停止処理を実行した際の表示例を示す図である。
【図１１】図１１は、スクロール速度の速度関数ｇ（ｔ）の一例を示す図である。
【図１２Ａ】図１２Ａは、フォーカスアニメーションを行わない場合の表示例である。
【図１２Ｂ】図１２Ｂは、フォーカスアニメーションの例を示す図である。
【図１３】図１３は、本実施の形態の適用例を示す図である。
【発明を実施するための形態】
【００１１】
本発明の一態様に係る表示制御装置は、それぞれに予め定められた処理が対応付けられた複数のオブジェクトを含むコンテンツのうちの一部である表示対象領域を、表示画面に表示させる表示制御装置であって、前記コンテンツ上で前記表示対象領域をスライドさせる処理であるスクロールを開始させるスクロール開始指示と、前記スクロールを停止させるスクロール停止指示とを、ユーザから受け付ける指示受付部と、スクロール中に前記指示受付部で前記スクロール停止指示が受け付けられた場合に、所定の関数によりスクロール速度を減速し、スクロールを停止した時の前記表示対象領域の位置を予め算出するスクロール制御部と、前記スクロール制御部でスクロールを停止した時の前記表示領域の位置を決定した時点からスクロールを停止する時点までのいずれかのタイミングで、前記表示対象領域内の予め定められた位置に最も近い前記オブジェクトに、当該オブジェクトが選択されていることを表すフォーカスを重畳させるフォーカス制御部とを備える。
【００１２】
上記構成によれば、ユーザから停止指示を受け付けた場合にスクロールを直ぐに停止させるのではなく、スクロールを所定の関数に従って減速した後に停止することになるので、画面上の情報が読み取りやすくなる。さらに、上記構成によれば、スクロール停止後のフォーカスは、毎回「表示対象領域内の予め定められた位置」の周辺に位置するオブジェクトに設定することになるので、スクロール停止後のフォーカス位置をユーザに認識させやすくなる。さらに、上記構成によれば、スクロールの減速中に、前記「スクロール停止後に『予め定められた位置』の周辺に位置するオブジェクト」にフォーカスを設定し、そのオブジェクトが画面上に出現した時点でフォーカスを描画することになるので、ユーザが画面上の情報を読み取り易くなり、かつ、フォーカスの位置を認識しやすくなる。
【００１３】
また、フォーカス制御部は、前記スクロール制御部でスクロールを停止した時の前記表示領域の位置を決定した時点からスクロールを停止する時点より前のいずれかのタイミングで前記表示画面の端部に前記フォーカスを表示し、スクロールが停止されたタイミングで前記オブジェクトに重畳するように、前記フォーカスを徐々に前記オブジェクトに近づけてもよい。
【００１４】
このようなフォーカスを画面の端部から徐々に前記オブジェクトに近づけるアニメーション表示をスクロール減速中に行うことにより、スクロール開始前のフォーカスの位置からフォーカスが前記オブジェクトに移動しつつある事をユーザに認識させやすくなる、さらに、前記アニメーション表示によりスクロール停止後のフォーカス位置をユーザに認識させやすくなる。また、前記アニメーション表示では、頻繁にフォーカス対象のオブジェクトが変更されて描画されることが無いため、ユーザの画面上の情報の読み取りを妨げることは無い。また、前記アニメーション表示では、スクロール減速中にアニメーションが完了するため、前記フォーカスの移動および位置に関する情報をより早くユーザに認識させることができ、ユーザのストレスが少なく素早い操作をしやすくすることができる。
【００１５】
また、前記スクロール制御部は、前記指示受付部で前記スクロール開始指示が受け付けられた場合に、スクロールを開始し、且つ所定の速度に達するまでスクロール速度を徐々に加速させてもよい。
【００１６】
これにより、表示画面より遥かに大きいコンテンツを表示する場合であっても、素早く目的の場所に到達することができる。
【００１７】
また、前記指示受付部は、ユーザが操作装置の方向キーを所定の時間押下し続けたことによって前記スクロール開始指示を受け付け、ユーザが前記方向キーの押下を解除したことによって前記スクロール停止指示を受け付け、前記スクロール制御部は、前記方向キーが示す方向にスクロールさせてもよい。
【００１８】
このように、同じキーに複数の指示を割り当てることにより、簡単且つ直感的な操作で各処理を実現することができる。
【００１９】
さらに、前記指示受付部は、ユーザが前記方向キーを前記所定の時間未満だけ押下したことによって、前記フォーカスを移動させるフォーカス移動指示を受け付け、前記フォーカス制御部は、前記指示受付部で前記フォーカス移動指示が受け付けられた場合に、前記フォーカスを、前記表示対象領域に含まれる複数のオブジェクトのうち、現在フォーカスが重畳されている第１のオブジェクトから、前記第１のオブジェクトと前記方向キーが示す方向に隣接する第２のオブジェクトに移動させてもよい。
【００２０】
このように、フォーカス移動処理とスクロール処理とを別の処理としてユーザに使い分けさせることにより、多数のオブジェクトが含まれるコンテンツであっても、スムーズなスクロールを実現することができる。
【００２１】
また、前記予め定められた位置とは、前記表示対象領域の中央であってもよい。
【００２２】
本発明の一態様に係る表示制御方法は、それぞれに予め定められた処理が対応付けられた複数のオブジェクトを含むコンテンツのうちの一部である表示対象領域を、表示画面に表示させる表示制御方法であって、前記コンテンツ上で前記表示対象領域をスライドさせる処理であるスクロールを開始させるスクロール開始指示と、前記スクロールを停止させるスクロール停止指示とを、ユーザから受け付ける指示受付ステップと、スクロール中に前記指示受付ステップで前記スクロール停止指示が受け付けられた場合に、所定の関数によりスクロール速度を減速し、スクロールを停止した時の前記表示対象領域の位置を予め算出するスクロール制御ステップと、前記スクロール制御ステップでスクロールを停止した時の前記表示領域の位置を決定した時点からスクロールを停止する時点までのいずれかのタイミングで、前記表示対象領域内の予め定められた位置に最も近い前記オブジェクトに、当該オブジェクトが選択されていることを表すフォーカスを重畳させるフォーカス制御ステップとを含む。
【００２３】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２４】
以下、図面を参照して、本発明に係る表示制御装置及び表示制御方法を説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。また、各図は模式図であり、必ずしも厳密に図示したものではない。
【００２５】
（実施の形態）
図１及び図２を参照して、本発明の一形態に係る表示制御装置１００の構成を説明する。図１は、本発明の一形態に係る表示制御装置１００の機能ブロック図である。図２は、本発明の一形態に係る表示制御部１１３の機能ブロック図である。
【００２６】
表示制御装置１００は、図１に示されるように、ブラウザ１１０と、描画処理部１２０とで構成される。また、ブラウザ１１０は、ネットワーク制御部１１１と、パース処理部１１２と、表示制御部１１３と、JavaScript（登録商標）エンジン１１４と、ＤＯＭ・レイアウト処理部１１５とを備える。
【００２７】
ネットワーク制御部１１１は、コンテンツを、インターネット等の通信ネットワーク３００等を通じてサーバから取得する。以下、ネットワーク制御部１１１で取得されるコンテンツとして、ＨＴＭＬ（ＨｙｐｅｒＴｅｘｔ  Ｍａｒｋｕｐ  Ｌａｎｇｕａｇｅ）文書の例を説明するが、本発明のコンテンツはこれに限定されない。
【００２８】
また、ネットワーク制御部１１１で取得されるＨＴＭＬ文書には、リンク、テキストボックス、及びボタン等の複数のオブジェクトが含まれる。各オブジェクトには、予め定められた処理が対応付けられている。例えば、リンクには、他のページに遷移する処理が対応付けられている。テキストボックスには、ユーザに文字列の入力を許可する処理が対応付けられている。ボタンには、処理の継続を許可（ＯＫボタン）又は中止（キャンセルボタン）する処理が対応付けられている。
【００２９】
パース処理部１１２は、ネットワーク制御部１１１で取得されたＨＴＭＬ文書を解読する処理を実行する。JavaScript（登録商標）エンジン１１４は、パース処理部１１２で解読されたＨＴＭＬ文書に含まれるJavaScript（登録商標）を実行する。
【００３０】
表示制御部１１３は、ネットワーク制御部１１１で取得されたＨＴＭＬ文書を、描画処理部１２０を通じて表示装置４００に表示させる。また、表示制御部１１３は、入力装置２００に入力されたユーザの指示に基づいて、表示装置４００の表示を制御する。表示制御部１１３の具体的な処理は、図２を用いて後述する。
【００３１】
ＤＯＭ・レイアウト処理部１１５は、パース処理部１１２で解読されたＨＴＭＬ文書のＤＯＭ（Ｄｏｃｕｍｅｎｔ  Ｏｂｊｅｃｔ  Ｍｏｄｅｌ）ツリーを作成する。ＤＯＭツリーとは、ＨＴＭＬ文書に含まれるオブジェクトを、木構造に整理したものである。また、ＤＯＭ・レイアウト処理部１１５は、ＤＯＭツリーに含まれる各オブジェクトがＨＴＭＬ文書全体の中のどの位置に配置するかを算出し、表示画面にどのオブジェクトを描画する必要があるかを決定する。
【００３２】
描画処理部１２０は、ブラウザ１１０からの指示に基づいて、表示装置４００にＨＴＭＬ文書を表示させる。
【００３３】
入力装置２００は、ユーザからの入力を受け付ける装置である。入力装置２００には、例えば、テレビのリモコン、ＰＣ（Ｐｅｒｓｏｎａｌ  Ｃｏｍｐｕｔｅｒ）や携帯電話のキーボードが該当する。
【００３４】
表示装置４００は、ネットワーク制御部１１１で取得されたＨＴＭＬ文書を表示する装置である。表示装置４００の具体的な構成は特に限定されないが、例えば、液晶ディスプレイ、プラズマディスプレイ、又は有機ＥＬ（ＥｌｅｃｔｒｏＬｕｍｉｎｅｓｃｅｎｃｅ）ディスプレイ等を採用することができる。
【００３５】
なお、ネットワーク制御部１１１で取得されるＨＴＭＬ文書は、表示装置４００に一度に表示できるサイズより大きい。そのため、表示装置４００には、ＨＴＭＬ文書の一部の領域（以下「表示対象領域」と表記する）のみしか表示することができない。
【００３６】
そこで、上記の表示制御部１１３は、ユーザの指示に基づいて、ＨＴＭＬ文書のどの部分を表示装置４００に表示するのかを制御する。そのために、表示制御部１１３は、図２に示されるように、入力制御部１０と、スクロール制御部２０と、フォーカス制御部３０とを備える。
【００３７】
入力制御部（指示受付部）１０は、入力装置２００に入力されるユーザの操作指示を受け付ける。操作指示の具体例は特に限定されないが、フォーカス移動指示、スクロール開始指示、及びスクロール停止指示等が該当する。
【００３８】
なお、フォーカス移動指示とは、表示装置４００に表示されているフォーカスを移動させることを要求する指示である。フォーカスとは、表示装置４００に表示されているオブジェクトの１つに重畳され、当該オブジェクトが選択（決定キーを押下することにより、当該オブジェクトに対応付けられた処理が実行される状態）されていることを示すものである。
【００３９】
また、スクロール開始指示とは、ＨＴＭＬ文書上で表示対象領域をスライドさせる（以下「スクロール」と表記する）ことを要求する指示である。すなわち、スクロール開始指示が入力されると、表示装置４００の表示内容が連続的に変化する。さらに、スクロール停止指示とは、スクロール開始指示によって開始されたスクロール処理の停止を要求する指示である。すなわち、スクロール停止指示は、スクロール処理中にのみ受け付けられる。
【００４０】
なお、ユーザは、入力装置２００の同一のキーを用いて、フォーカス移動指示、スクロール開始指示、及びスクロール停止指示を入力することができる。例えば、入力制御部１０は、ユーザが方向キーを所定の時間未満だけ押下した（以下「短押し」と表記する）ことによってフォーカス移動指示を受け付け、ユーザが入力装置２００の方向キーを所定の時間押下し続けた（以下「長押し」と表記する）ことによってスクロール開始指示を受け付け、ユーザが方向キーの押下を解除したことによってスクロール停止指示を受け付ければよい。
【００４１】
入力装置２００は、例えば、キーの押下状態が変化したタイミングで、入力制御部１０に信号を送信する。すなわち、入力装置２００は、キーが押下されたタイミングで押下されたことを示す信号（以下「押下信号」と表記する）を入力制御部１０に送信し、キーの押下が解除されたタイミングで押下が解除されたことを示す信号（以下「解除信号」と表記する）を入力制御部１０に送信する。
【００４２】
そして、入力制御部１０は、押下信号を受信してから解除信号を受信するまでの時間（以下「押下時間」と表記する）を計測する。そして、押下時間が閾値（例えば、０．５秒）未満であれば、入力制御部１０は、ユーザの操作を「短押し」と判断する。一方、押下時間が閾値以上であれば、入力制御部１０は、ユーザの操作を「長押し」と判断する。但し、上記の判断手法は一例であり、これには限定されない。
【００４３】
スクロール制御部２０は、ユーザから入力されたスクロール開始指示及びスクロール停止指示に応じて、ＨＴＭＬ文書上の表示装置４００に表示するべき表示対象領域を連続的に変化（スクロール）させるために、スクロール加減速制御部２１と、停止位置計算処理部２２とを備える。
【００４４】
スクロール加減速制御部２１は、入力制御部１０でスクロール開始指示が受け付けられた場合に、押下された方向キーが示す方向にスクロールを開始し、且つスクロール速度を徐々に加速させる。スクロール速度の加速は、所定の速度に達するか、スクロール停止指示が入力されるまで継続される。そして、スクロール加減速制御部２１は、入力制御部１０でスクロール停止指示が受け付けられた場合に、スクロール速度を徐々に減速させると共に、現在の表示対象領域の位置、及び現在のスクロール速度を停止位置計算処理部２２に通知する。
【００４５】
停止位置計算処理部２２は、スクロール加減速制御部２１から取得した現在の表示対象領域の位置、及び現在のスクロール速度に基づいて、スクロール停止時の表示対象領域の位置を計算する。そして、停止位置計算処理部２２は、算出した位置をフォーカス位置制御部３１に通知する。
【００４６】
フォーカス制御部３０は、表示装置４００に表示されるフォーカスの位置を制御するために、フォーカス位置制御部３１と、アニメーション制御部３２とを備える。フォーカスとは、表示装置４００に現在表示されているＨＴＭＬ文書（すなわち、表示対象領域）に含まれるオブジェクトのいずれかに重畳することによって、当該オブジェクトが選択状態であることを示すものである。
【００４７】
フォーカス位置制御部３１は、入力制御部１０でフォーカス移動指示が受け付けられた場合に、表示対象領域に含まれる複数のオブジェクトのうち、現在フォーカスが重畳されている第１のオブジェクトから第２のオブジェクトに移動させる。なお、第２のオブジェクトは、第１のオブジェクトに対してユーザが押下した方向キーが示す方向に隣接するオブジェクトである。
【００４８】
また、フォーカス位置制御部３１は、スクロール制御部２０でスクロールが停止されたタイミングで、停止位置計算処理部２２から通知された表示対象領域内の予め定められた位置に最も近いオブジェクト（以下「対象オブジェクト」と表記する）にフォーカスを重畳させる。なお、予め定められた位置とは、典型的には、表示対象領域の中央であるが、これに限定されず、表示対象領域の上端、下端等であってもよい。
【００４９】
アニメーション制御部３２は、スクロール停止処理中にフォーカスのアニメーションを表示画面に表示させる。但し、ここで表示されるフォーカスは、実際のフォーカスのように重畳したオブジェクトを選択状態にする機能は有しておらず、フォーカスの形状を模した擬似フォーカスである。アニメーション制御部３２は、ＤＯＭ・レイアウト処理部１１５が行う描画の上に、擬似フォーカスを重畳して描画する。
【００５０】
具体的には、アニメーション制御部３２は、入力制御部１０でスクロール停止指示が受け付けられたタイミングで表示画面の端部に擬似フォーカスを表示する。そして、アニメーション制御部３２は、スクロールが停止されたタイミングで対象オブジェクトに重畳するように、擬似フォーカスを徐々に対象オブジェクトに近づける。
【００５１】
次に、図３を参照して、表示制御装置１００の動作を説明する。図３は、表示制御装置１００の動作を示すフローチャートである。
【００５２】
まず、入力制御部１０は、ユーザからの操作指示を、入力装置２００を通じて取得する（Ｓ１１）。そして、入力制御部１０は、取得した操作指示の内容を判断する（Ｓ１２）。以下、フォーカス移動指示、スクロール開始指示、及びスクロール停止指示が入力された場合を説明する。
【００５３】
ステップＳ１１でフォーカス移動指示が入力された場合（例えば、入力装置２００の方向キーが“短押し”された場合）、フォーカス移動処理が実行される（Ｓ１３）。図４及び図５を参照して、フォーカス移動処理を詳しく説明する。図４は、フォーカス移動処理のフローチャートである。図５は、フォーカス移動処理を実行した際の表示例を示す図である。
【００５４】
図５に示されるコンテンツ５００は、表示画面４１０より大きい。そこで、コンテンツ５００のうち、表示画面４１０に表示される表示対象領域５２０を破線枠で示す。また、コンテンツ５００は、複数のオブジェクト５０１〜５１７を含む。オブジェクト５０１、５０３、５０５、５０６、５０８、５０９、５１０、５１３、５１４は、リンクである。オブジェクト５０２、５０７、５１１は、テキストボックスである。オブジェクト５０４、５１２、５１５、５１６は、ボタンである。図７及び図１０に示されるコンテンツ５００も同様である。
【００５５】
また、図５、図７、図１０の各表示画面４１０には、フォーカス５３０を太枠として図示している。しかしながら、フォーカス５３０の例はこれに限定されず、ハイライト、太字化、文字色の変更等によってフォーカス５３０を表示してもよい。
【００５６】
まず、フォーカス位置制御部３１は、表示対象領域に含まれるオブジェクトの情報を取得する（Ｓ２１）。例えば図５の左上の表示画面４１０のように、コンテンツ５００の最上部の領域が表示対象領域５２０となっている場合、フォーカス位置制御部３１は、オブジェクト５０１、５０２、５０３の位置と、フォーカス５３０がオブジェクト５０１に重畳されていることとを取得する。
【００５７】
フォーカス位置制御部３１は、次にフォーカスを重畳させるオブジェクトを決定する（Ｓ２２）。例えば、図３のステップＳ１１で下方向キーが短押しされた場合、フォーカス位置制御部３１は、現在フォーカス５３０が重畳しているオブジェクト５０１（第１のオブジェクト）の下方向に隣接するオブジェクト５０２を、次にフォーカス５３０を重畳させるオブジェクト（第２のオブジェクト）と決定する。
【００５８】
そして、フォーカス位置制御部３１は、決定したオブジェクト５０２の特定情報をＤＯＭ・レイアウト処理部１１５に通知する（Ｓ２３）ことによって、図５の左下の表示画面４１０のように、フォーカス５３０がオブジェクト５０２に重畳される。
【００５９】
また、図３のステップＳ１１でスクロール開始指示が入力された場合（例えば、入力装置２００の方向キーが“長押し”された場合）、スクロール処理が実行される（Ｓ１４）。図６〜図８を参照して、スクロール処理を詳しく説明する。図６は、スクロール処理のフローチャートである。図７は、スクロール処理を実行した際の表示例を示す図である。図８は、スクロール速度の速度関数ｆ（ｔ）の一例を示す図である。
【００６０】
以下、図７の左上の表示画面４１０のように、オブジェクト５０２にフォーカス５３０が重畳している状態で、入力装置２００の下方向キーが長押し（スクロール開始指示が入力）された場合を説明する。
【００６１】
まず、スクロール加減速制御部２１は、図８に示される速度関数ｆ（ｔ）からスクロール速度を取得する（Ｓ３２）。この速度関数ｆ（ｔ）は、時間の経過と共に段階的に増速することを示す階段関数である。そして、スクロール加減速制御部２１は、スクロール開始指示を受け付けた瞬間（すなわち、時刻０）に、速度関数ｆ（ｔ）から速度Ｖ１を取得する。
【００６２】
次に、スクロール加減速制御部２１は、次に表示すべき表示対象領域を特定する（Ｓ３３）。すなわち、図７に示される表示対象領域５２０の位置ｙ０から、予め設定した時間に速度Ｖ１を乗じた距離だけ下方向に移動した位置（図示省略）が、次に表示すべき表示対象領域となる。
【００６３】
そして、スクロール加減速制御部２１は、特定した表示対象領域を、ＤＯＭ・レイアウト処理部１１５に通知する（Ｓ３４）。そして、上記のステップＳ３２〜ステップＳ３４を、スクロール開始指示を受け付けてからスクロール停止指示を受け付けるまでの間、所定の間隔（例えば、０．２秒間隔）で繰り返し実行する（Ｓ３１、Ｓ３５）。これにより、表示対象領域５２０が位置（上辺の位置）ｙ０から位置ｙ１まで徐々に加速しながら移動し、図７の左下の表示画面４１０のようになる。
【００６４】
さらに、図３のステップＳ１１でスクロール停止指示が入力された場合（例えば、入力装置２００の方向キーの“長押し状態が解除”された場合）、スクロール停止処理が実行される（Ｓ１５）。図９〜図１２Ｂを参照して、スクロール停止処理を詳しく説明する。図９は、スクロール停止処理のフローチャートである。図１０は、スクロール停止処理を実行した際の表示例を示す図である。図１１は、スクロール速度の速度関数ｇ（ｔ）の一例を示す図である。図１２Ａは、スクロール停止処理を実行した際のフォーカスアニメーションを行わない場合の表示例を示す図である。図１２Ｂは、スクロール停止処理を実行した際のフォーカスアニメーションの例を示す図である。
【００６５】
以下、図１０の左上の表示画面４１０のように、表示対象領域５２０の位置ｙ１、スクロール速度Ｖ３の状態で、入力装置２００の下方向キーの長押しが解除（スクロール停止指示が入力）された場合を説明する。
【００６６】
まず、停止位置計算処理部２２は、スクロール停止時の表示対象領域５２０の位置を特定する（Ｓ４１）。具体的には、停止位置計算処理部２２は、スクロール加減速制御部２１から取得した表示対象領域５２０の現在位置ｙ１と、図１１に示される速度関数ｇ（ｔ）と、現在のスクロール速度をＶａとしたとき、ｇ（Ｔ１）＝Ｖａとなる時刻Ｔ１、及び速度が０、すなわちｇ（Ｔ２）＝０となる時刻Ｔ２に基づいて、スクロールを徐々に減速させた場合の停止位置ｙ２を以下の式１によって計算する。
【００６７】
【数１】
0005857246.tif 000002
【００６８】
そして、停止位置計算処理部２２は、算出した停止位置ｙ２をフォーカス位置制御部３１に通知する。例えば図１１において、Ｖ１＝１０００、Ｖ２＝２０００、Ｖ３＝３０００、Ｖ４＝４０００、Ｖ５＝５０００（ピクセル／秒）とし、現在位置ｙ１＝４０００、現在のスクロール速度をＶ３とすると、ｇ（Ｔ１）＝Ｖ３となる時刻Ｔ１は０．４（秒）、ｇ（Ｔ２）＝０となる時刻Ｔ２は１．０（秒）である。そこで、下記式２を用いてスクロール停止位置ｙ２を計算すると、ｙ２＝４０００＋０．２Ｖ３＋０．２Ｖ２＋０．２Ｖ１＝５２００（ピクセル）となる。
【００６９】
【数２】
0005857246.tif 000003
【００７０】
次に、フォーカス位置制御部３１は、停止位置計算処理部２２から取得した停止位置ｙ２の表示対象領域５２０に含まれるオブジェクト５１４、５１５、５１６のうち、スクロール停止時にフォーカス５３０を重畳させる対象オブジェクトを特定する。フォーカス位置制御部３１は、例えば、表示対象領域５２０の中央に最も近いオブジェクト５１５を対象オブジェクトとして特定してもよい。
【００７１】
次に、フォーカス位置制御部３１は、特定したオブジェクトにフォーカスを設定するようにＤＯＭ・レイアウト処理部１１５に対して指示する。但し、図１２Ａの上段の表示画面４１０のように、この時点でオブジェクト５１５が表示対象領域５２０に含まれていない場合、ＤＯＭ・レイアウト処理部１１５は、「オブジェクト５１５にフォーカス５３０が設定された」ことを示す制御情報を保持するだけで、実際には表示画面４１０にフォーカス５３０を表示させない。
【００７２】
次に、図１２Ａの中段の表示画面４１０のように、スクロール停止時に画面中央に最も近くなる予定のオブジェクト５１５が表示画面４１０の下端に現れた時に、そのオブジェクト５１５上にフォーカス５３０が重畳して描画されることになる。そして、図１２Ａの下段の表示画面４１０のように、フォーカス５３０が重畳されたオブジェクト５１５が表示画面４１０の中央に到達したタイミングで、スクロールが停止される。なお、図１２Ａの例の場合には、図９のステップＳ４７及びステップＳ４９は省略することができる。
【００７３】
一方、図１２Ｂに示すように、フォーカスの移動をアニメーションで行う場合は、アニメーションが終了するまでは特定したオブジェクト上のフォーカスの描画を非表示にしても良い。フォーカスアニメーションについては、後述する。
【００７４】
次に、スクロール加減速制御部２１は、図１１に示される速度関数ｇ（ｔ）からスクロール速度を取得する（Ｓ４４）。この速度関数ｇ（ｔ）は、時間の経過と共に段階的に減速することを示す階段関数である。そして、スクロール加減速制御部２１は、スクロール停止指示を受け付けた瞬間の速度を取得する。
【００７５】
なお、スクロール加速途中にスクロール停止指示を受け付けた場合、その瞬間のスクロール速度は、速度関数ｆ（ｔ）の最大値では無い場合もあり得る。ここでは、例としてスクロール最大速度（この例ではＶ６）より遅い速度（この例ではＶ３）でスクロール停止指示を受けた場合とする。
【００７６】
次に、スクロール加減速制御部２１は、次に表示すべき表示対象領域を特定する（Ｓ４５）。すなわち、図１０に示される表示対象領域５２０の位置ｙ１から、予め設定した時間に速度Ｖ３を乗じた距離だけ下方向に移動した位置が、次に表示すべき表示対象領域となる。
【００７７】
次に、スクロール加減速制御部２１は、特定した表示対象領域を、ＤＯＭ・レイアウト処理部１１５に通知する（Ｓ４６）。また、詳細は後述するが、アニメーション制御部３２は、次のフォーカス位置を描画処理部１２０に通知する（Ｓ４７）。
【００７８】
そして、上記のステップＳ４４〜ステップＳ４７を、スクロール停止指示を受け付けてからスクロールが停止するまでの間、予め設定した時間（例えば、０．２秒間隔）毎に繰り返し実行する（Ｓ４３、Ｓ４８）。これにより、表示対象領域５２０が位置ｙ１から位置ｙ２まで徐々に減速しながら移動する。なお、ステップＳ４４〜ステップＳ４７のループ中に現在の時刻でのｇ（ｔ）値を同時に計算しても良い。例えばｇ（ｔ）が図１１に示す階段関数の場合、タイマーを用いて０．２秒間隔でループし、１回ループする毎に速度を表すメモリまたは変数が０になるまで一定値を減算してゆくことにより実現できる。このようにｆ（ｔ）およびｇ（ｔ）はスクロール加減速制御部２１のソフトウエアまたは回路のステップによってその値を算出しても良い。
【００７９】
最後に、フォーカス位置制御部３１は、図１０の左下の表示画面４１０のように、スクロールが停止したタイミングで、ステップＳ４２で特定されたオブジェクト５１５にフォーカス５３０を設定（重畳）させる（Ｓ４９）。
【００８０】
また、図９のステップＳ４７を繰り返し実行することにより、擬似フォーカスが図１２Ｂに示されるように表示される。具体的には、アニメーション制御部３２は、スクロール停止指示を受け付けたタイミングで、表示画面４１０の上端に擬似フォーカス５４０を表示させる。
【００８１】
そして、アニメーション制御部３２は、擬似フォーカス５４０がオブジェクト５１５にスクロールが停止したタイミングで重畳できるように、擬似フォーカス５４０の位置を徐々にオブジェクト５１５に近づける（すなわち、徐々に中央に移動させる）。
【００８２】
また、アニメーション制御部３２は、擬似アニメーションの形状（大きさ、形）をオブジェクト５１５の形状に徐々に近づける。例えば、図１２Ｂの上段の表示画面４１０に表示されている擬似フォーカス５４０は、スクロール開始時に重畳していたオブジェクト５０２の形状に対応する。そして、中央に近づくほど擬似フォーカス５４０が小さくなって、オブジェクト５１５に重畳するタイミングで、オブジェクト５１５と同一形状となる。
【００８３】
なお、擬似フォーカス５４０が最初に表示される場所は、表示画面４１０の上端に限定されない。例えば、表示画面４１０の下端、又は表示画面４１０の左右いずれかの端に表示されてもよい。また、スクロールの方向に応じて、擬似フォーカス５４０が最初に表示される場所を変更してもよい。例えば、下方向にスクロールしている（下方向キーが押下された）場合には、擬似フォーカス５４０を表示画面４１０の上端に表示し、上方向にスクロールしている（上方向キーが押下された）場合には、擬似フォーカス５４０を表示画面４１０の下端に表示してもよい。
【００８４】
上記の各処理によれば、例えば、下記のような効果が期待できる。
【００８５】
まず、従来の表示制御装置として、方向キーを押下するとフォーカスがその方向に移動し、フォーカスが画面端に到達して初めてスクロールするものが知られている。このような表示制御装置では、特にコンテンツに含まれるオブジェクトの数が多い場合に、スムーズなスクロールを実現できない。
【００８６】
これに対して、本実施の形態に係る表示制御処理によれば、表示対象領域内でフォーカスを移動させる処理（フォーカス移動処理）と、表示対象領域をスライドさせる処理（スクロール処理）とを使い分けることができる。これにより、多数のオブジェクトが含まれるコンテンツであっても、スムーズなスクロールを実現することができる。また、スクロール処理においては、時間の経過と共にスクロール速度を上昇させるので、サイズの大きいコンテンツであっても目的の場所に素早く辿り着くことができる。
【００８７】
また、本実施の形態に係る表示制御処理によれば、スクロール減速開始直後にスクロール停止時の所定の位置（典型的には、中央）に最も近いオブジェクトにフォーカスを設定するため、高速スクロール後であってもフォーカスの位置を容易に見つけることができる。また、スクロール減速中にフォーカスアニメーションを実行することにより、ユーザは、さらにフォーカスの位置を認識しやすくなる。
【００８８】
さらに、本実施の形態に係る表示制御処理では、フォーカス移動指示、スクロール開始指示、及びスクロール停止指示を、同一のキーを用いて行うことができる。そのため、例えば、各指示が別のキーに割り当てられている場合等と比較して、簡単且つ直感的な操作で各処理を実現することができる。但し、上記の各指示が同一のキーに割り当てられていることは必須ではなく、それぞれが別のキーに対応付けられていてもよい。
【００８９】
なお、本実施の形態では、下方向キーを用いてフォーカスの移動及びスクロールの開始／終了を行う例を説明したが、本発明はこれに限定されない。例えば、上方向キー、右方向キー、及び左方向キーを用いて、各キーが示す方向にフォーカスを移動又はスクロールを行う場合にも適用できる。また、上方向キー、下方向キー、右方向キー、及び左方向キーを任意に組み合わせる（同時に押下する）ことによって、斜め方向にフォーカスを移動又はスクロールを行う場合にも適用できる。
【００９０】
さらに、方向キーに代えて、アナログスティックやレバー等の入力装置を用いてもよい。すなわち、表示制御装置は、フォーカスを移動したい方向にアナログスティックを所定の時間未満だけ傾けることによってフォーカス移動指示を受け付け、スクロールしたい方向にアナログスティックを所定の時間以上傾けることによってスクロール開始指示を受け付け、スクロール中にアナログスティックの傾きを解除（ニュートラル位置に戻す）することによってスクロール停止指示を受け付けてもよい。レバーを用いる場合も同様である。
【００９１】
また、スクロール開始指示および停止指示はタッチスクリーンやタッチパッドのドラッグ操作またはフリック操作等で行なっても良い。例えば、ドラッグ操作開始またはフリック操作開始をスクロール開始指示とし、ドラッグ操作終了またはフリック操作終了をスクロール停止指示とすることができる。
【００９２】
図１３は、本実施の形態の適用例を示す図である。本実施の形態に係る表示制御装置（図１３では図示省略）１００は、例えば、表示画面６１０を備えるテレビ６００に搭載することができる。そして、この表示制御装置１００は、リモコン６２０からの各種指示を受け付けて、表示画面６１０の表示内容を制御することができる。
【００９３】
なお、図１３の例では、表示制御装置と表示装置とが一体であり、入力装置のみを別体とした例を示したが、本発明はこれに限定されない。例えば、ノートパソコンや携帯電話やタブレット端末に代表される携帯端末のように、表示制御装置、表示装置、及び入力装置の全てが一体となっていてもよい。又は、デスクトップＰＣのように、表示制御装置、表示装置、及び入力装置の全てが別体となっていてもよい。
【００９４】
（その他の実施の形態）
なお、本発明を上記実施の形態に基づいて説明してきたが、本発明は、上記の実施の形態に限定されないのはもちろんである。以下のような場合も本発明に含まれる。
【００９５】
上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭまたはハードディスクユニットには、コンピュータプログラムが記憶されている。マイクロプロセッサが、コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。
【００９６】
上記の各装置を構成する構成要素の一部または全部は、１個のシステムＬＳＩ（大規模集積回路）から構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムにしたがって動作することにより、システムＬＳＩは、その機能を達成する。
【００９７】
上記の各装置を構成する構成要素の一部または全部は、各装置に脱着可能なＩＣカードまたは単体のモジュールから構成されているとしてもよい。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしてもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【００９８】
本発明は、上記に示す方法であるとしてもよい。また、これらの方法をコンピュータにより実現するコンピュータプログラムであってもよいし、コンピュータプログラムからなるデジタル信号であってもよい。
【００９９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の表示制御装置などを実現するソフトウェアは、次のようなプログラムである。
【０１００】
すなわち、このコンピュータプログラムは、コンピュータに、それぞれに予め定められた処理が対応付けられた複数のオブジェクトを含むコンテンツのうちの一部である表示対象領域を、表示画面に表示させる表示制御方法であって、前記コンテンツ上で前記表示対象領域をスライドさせる処理であるスクロールを開始させるスクロール開始指示と、前記スクロールを停止させるスクロール停止指示とを、ユーザから受け付ける指示受付ステップと、スクロール中に前記指示受付ステップで前記スクロール停止指示が受け付けられた場合に、所定の関数によりスクロール速度を減速し、スクロールを停止した時の前記表示対象領域の位置を予め算出するスクロール制御ステップと、前記スクロール制御ステップでスクロールを停止した時の前記表示領域の位置を決定した時点からスクロールを停止する時点までのいずれかのタイミングで、前記表示対象領域内の予め定められた位置に最も近い前記オブジェクトに、当該オブジェクトが選択されていることを表すフォーカスを重畳させるフォーカス制御ステップとを含む表示制御方法を実行させる。
【０１０１】
また、本発明は、コンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録してもよい。また、これらの記録媒体に記録されているデジタル信号であるとしてもよい。
【０１０２】
また、本発明は、コンピュータプログラムまたはデジタル信号を、電気通信回線、無線または有線通信回線、インターネットを代表とするネットワーク、データ放送等を経由して伝送してもよい。
【０１０３】
また、本発明は、マイクロプロセッサとメモリを備えたコンピュータシステムであって、メモリは、上記コンピュータプログラムを記憶しており、マイクロプロセッサは、コンピュータプログラムにしたがって動作してもよい。
【０１０４】
また、プログラムまたはデジタル信号を記録媒体に記録して移送することにより、またはプログラムまたはデジタル信号をネットワーク等を経由して移送することにより、独立した他のコンピュータシステムにより実施してもよい。
【０１０５】
上記実施の形態及び上記変形例をそれぞれ組み合わせてもよい。
【０１０６】
以上、本発明の一つまたは複数の態様に係る表示制御装置及び表示制御方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１０７】
本発明は、コンテンツを表示画面に表示させる表示制御装置に有利に利用される。
【符号の説明】
【０１０８】
１０  入力制御部
２０  スクロール制御部
２１  スクロール加減速制御部
２２  停止位置計算処理部
３０  フォーカス制御部
３１  フォーカス位置制御部
３２  アニメーション制御部
１００  表示制御装置
１１０  ブラウザ
１２０  描画処理部
１１１  ネットワーク制御部
１１２  パース処理部
１１３  表示制御部
１１４  JavaScript（登録商標）エンジン
１１５  ＤＯＭ・レイアウト処理部
２００  入力装置
３００  通信ネットワーク
４００  表示装置
４１０  表示画面
５００  コンテンツ
５０１，５０２，５０３，５０４，５０５，５０６，５０７，５０８，５０９，５１０，５１１，５１２，５１３，５１４，５１５，５１６，５１７  オブジェクト
５２０  表示対象領域
５３０  フォーカス
５４０  擬似フォーカス
６００  テレビ
６１０  表示画面
６２０  リモコン
【図１】
0005857246.tif 000004
【図２】
0005857246.tif 000005
【図３】
0005857246.tif 000006
【図４】
0005857246.tif 000007
【図５】
0005857246.tif 000008
【図６】
0005857246.tif 000009
【図７】
0005857246.tif 000010
【図８】
0005857246.tif 000011
【図９】
0005857246.tif 000012
【図１０】
0005857246.tif 000013
【図１１】
0005857246.tif 000014
【図１２Ａ】
0005857246.tif 000015
【図１２Ｂ】
0005857246.tif 000016
【図１３】
0005857246.tif 000017